(57)【要約】【課題】写真プリント出力後の画像処理のやり直し作業を何時の時点でも簡単に行える写真プリント装置を提供する。【解決手段】操作入力信号に基づく撮影コマ画像に対する画像処理パラメータを生成する画像処理パラメータ管理部４３からの画像処理パラメータに基づいて撮影コマ画像に対して画像処理を施す画像処理部４４と、画像処理が施された撮影コマ画像に基づいて写真プリントを出力するプリント出力部１Ｂとを備えた写真プリント装置。各撮影コマ画像に施された画像処理の画像処理パラメータをテキストファイル化して作成された画像処理パラメータデータを二次元コード化するコード生成部４６と、前記プリント出力された二次元コードの読み取り信号から画像処理パラメータデータを再生するコード解読部４２が備えられている。【選択図】        図４
2005234323.tif 000002
【特許請求の範囲】
【請求項１】
撮影コマ画像を読み込む画像入力部と、操作入力部からの操作入力信号に基づいて入力された撮影コマ画像に対する画像処理パラメータを生成する画像処理パラメータ管理部と、前記画像処理パラメータ管理部からの画像処理パラメータに基づいて前記撮影コマ画像に対して画像処理を施す画像処理部と、画像処理が施された撮影コマ画像に基づいて写真プリントを出力するプリント出力部とを備えた写真プリント装置において、
前記各撮影コマ画像に施された画像処理の画像処理パラメータをテキストファイル化して作成された画像処理パラメータデータを二次元コードの形態で前記プリント出力部から出力するために前記画像処理パラメータデータを二次元コード化するコード生成部と、前記プリント出力された二次元コードの読み取り信号から画像処理パラメータデータを再生するコード解読部が備えられ、前記画像処理パラメータ管理部は前記再生された画像処理パラメータデータから前記撮影コマ画像の画像処理パラメータを設定することを特徴とする写真プリント装置。
【請求項２】
前記二次元コードは１オーダに含まれる全ての撮影コマ画像分の画像処理パラメータを含んでいることを特徴とする請求項１に記載の写真プリント装置。
【請求項３】
前記二次元コードは１オーダ分の撮影コマ画像を一覧形式でプリントしたインデックスプリントにプリントされることを特徴とする請求項２に記載の写真プリント装置。
【請求項４】
前記画像処理パラメータ管理部は前記再生された画像処理パラメータデータに基づく画像処理パラメータを直接画像処理設定画面の各パラメータ設定欄に代入することを特徴とする請求項１〜３のいずれか１項に記載の写真プリント装置。
【請求項５】
前記画像処理パラメータと二次元コードは共通化されており、同様の二次元コードによる画像処理パラメータ設定が異なる写真プリント装置においても適用可能であることを特徴とする請求項１〜４のいずれか１項に記載の写真プリント装置。
【発明の詳細な説明】
【技術分野】
【０００１】
本発明は、撮影コマ画像を読み込む画像入力部と、操作入力部からの操作入力信号に基づいて入力された撮影コマ画像に対する画像処理パラメータを生成する画像処理パラメータ管理部と、前記画像処理パラメータ管理部からの画像処理パラメータに基づいて前記撮影コマ画像に対して画像処理を施す画像処理部と、画像処理が施された撮影コマ画像に基づいて写真プリントを出力するプリント出力部とを備えた写真プリント装置に関する。
【背景技術】
【０００２】
最近のＤＰショップではデジタルミニラボと呼ばれるデジタル撮影コマ画像データ（以下特別な場合を除いて単に撮影コマ画像と呼ぶことにする）に基づいて写真プリントを出力する写真プリント装置が導入されており、この写真プリント装置では、デジタル画像データを取り扱うので、銀塩フィルム式カメラの写真フィルムに形成されている撮影コマ画像はフィルムスキャンを通じて入力され、デジタルカメラのメモリカードに記憶された撮影コマ画像はメディアリーダを通じて入力され、適当な画像処理を施されてプリントデータに変換され、プリント出力部から高画質の写真プリントが出力される。そのような写真プリント装置では、撮影コマ画像をデジタル画像データとして取り扱っているので、従来の投影露光式のミニラボなどでは困難であった撮影コマ画像に対する画像処理、例えば、撮影コマ画像毎に色補正、画像回転、トリミングなどを簡単に行うことが出来る。
【０００３】
しかしながら、このような撮影コマ画像に対する、各種画像処理（色補正、画像回転、トリミングなど）の設定は微妙なものであり、出来上がった写真プリントを見て再度画像処理をし直す必要がでてくる。このような撮影コマ画像単位の画像処理の再設定作業には、一般的に、前回の画像処理の設定で出力された写真プリントを見ながらそれより調整された撮影コマ画像をモニタ画面で表示しながら行われるが、オペレータに多大な負荷を与えていた。
【０００４】
このため、撮影コマ画像に対して色補正やトリミング枠を設定し、色補正やトリミング枠を規定するデータを生成するとともにこの処理データがデータ格納部に格納され、撮影コマ画像を特定するＩＤコードが生成され、このＩＤコードをキーとして処理データが検索・抽出可能なように前記データ格納部に格納され、さらに、該当する写真プリントの裏面に前記ＩＤコードが印字される装置が提案されている（例えば、特許文献１参照。）。この装置では、撮影コマ画像に施されたトリミングや色補正を規制する処理データがデータ格納部に格納されるので、再プリントしなければならないケースでは、ＩＤコードを使ってデータ格納部にアクセスして、該当する処理データを取り出すことで、前回の画像処理設定を復元することができ、オペレータの負担はある程度軽減されうる。しかしながら、画像処理をし直さなければならない撮影コマ画像がかさむとＩＤコードを入力していく手間も必要となる。各撮影コマ画像に施した画像処理の処理データをＩＤコードを検索キーとして読み出し可能にデータ格納部に格納する必要があるが、このデータ量が増えるとデータ格納に要求されるハードウエア的負担も無視できなくなる。特に、後日ユーザからのクレームを受けての再プリントやかなりの日時を経ての焼き増しプリントにおいて同じ色補正やトリミングをもつ写真プリントの要求に備えるには、データ格納部を大容量にする必要があり、そのコスト負担もかなりのものとなる。
【０００５】
【特許文献１】特開２００１−１６６３９５号公報（段落番号００１８−００２９、第４図）
【発明の開示】
【発明が解決しようとする課題】
【０００６】
上記実状に鑑み、本発明の課題は、写真プリント出力後の画像処理のやり直し作業を何時の時点でも簡単に行える写真プリント装置を提供することである。
【課題を解決するための手段】
【０００７】
上記課題を解決するため、撮影コマ画像を読み込む画像入力部と、操作入力部からの操作入力信号に基づいて入力された撮影コマ画像に対する画像処理パラメータを生成する画像処理パラメータ管理部と、前記画像処理パラメータ管理部からの画像処理パラメータに基づいて前記撮影コマ画像に対して画像処理を施す画像処理部と、画像処理が施された撮影コマ画像に基づいて写真プリントを出力するプリント出力部とを備えた、本発明による写真プリント装置では、前記各撮影コマ画像に施された画像処理の画像処理パラメータをテキストファイル化して作成された画像処理パラメータデータを二次元コードの形態で前記プリント出力部から出力するために前記画像処理パラメータデータを二次元コード化するコード生成部と、前記プリント出力された二次元コードの読み取り信号から画像処理パラメータデータを再生するコード解読部が備えられ、前記画像処理パラメータ管理部は前記再生された画像処理パラメータデータから前記撮影コマ画像の画像処理パラメータを設定する。
【０００８】
この構成によれば、設定された画像処理パラメータに基づいて撮影コマ画像毎に施された画像処理の内容は二次元コード化されて二次元コードとしてプリント出力部から出力されるので、プリント出力された写真プリントを見て、画像処理を修正したい場合には、同様にプリント出力された二次元コードを読み取るだけで、元の画像処理パラメータが再生され、前回の画像処理設定状態が復元され、その段階から、調整していくことで、簡単に先に出力された写真プリントから微妙に調整された写真プリントを出力することができる。また、テキストファイル化されたデータに対する二次元コードのデータ圧縮格納容量が大きいことから、画像処理パラメータのデータがまるごと二次元コード化することができ、従来のようにデータベース化された大げさなデータ格納部を備える必要はなくなる。
【０００９】
上述した特許文献では各撮影コマ画像に対する画像処理パラメータデータを撮影コマ画像毎にＩＤを割り与え、それを写真プリントの裏面に印字することで管理していたが、写真プリント装置は、一般には１オーダ（フィルム１本単位やメモリ個オーダ１枚単位のプリント注文）で処理することから、１オーダ分の再プリントを行う場合などでは、非効率となる。このため、本発明による好適な実施形態の１つでは、前記二次元コードは１オーダに含まれる全ての撮影コマ画像分の画像処理パラメータを含んでいるように構成されている。これにより、二次元コードから再生された画像処理パラメータデータによって１オーダ分の画像処理パラメータの設定が完了することになり、効率的である。
【００１０】
上記のように１オーダ分の画像処理パラメータデータを二次元コードにしているが、これをプリント出力する際、この二次元コードだけを写真プリントとして出力してもよいが、１オーダ分の撮影コマ画像を１つの写真プリントとしてプリント出力するインデックスプリントがほとんど採用されているので、本発明においても、前記二次元コードを１オーダ分の撮影コマ画像を一覧形式でプリントしたインデックスプリントにプリントするように構成することが効率的である。
【００１１】
二次元コードから画像処理パラメータの全てが取得できるので、この再プリント作業をさらに簡単化するためには、前記画像処理パラメータ管理部は前記再生された画像処理パラメータデータに基づく画像処理パラメータを直接画像処理設定画面の各パラメータ設定欄に代入するように構成されるとよい。該当する二次元コードを読み取るだけで、前回の設定通りの画像処理設定画面が表示されるので、オペレータは画像処理の再設定作業にスムーズに入ることが出来る。
【００１２】
本発明の好適な実施形態の１つでは、前記画像処理パラメータと二次元コードは共通化されており、同様の二次元コードによる画像処理パラメータ設定が異なる写真プリント装置においても適用可能である。この構成により、この二次元コードをプリント出力したコードシートと撮影コマ画像のソースメディアさえ持っていると、ユーザはどの写真ショップにおいても、元の写真プリントと同一の写真プリントないしは元の写真プリントからユーザの希望に合わせて微妙に調整され直した写真プリントを得ることが出来る。
本発明によるその他の特徴及び利点は、以下図面を用いた実施形態の説明により明らかになるだろう。
【発明を実施するための最良の形態】
【００１３】
図１は本発明による写真プリント装置を示す外観図であり、この写真プリント装置は、印画紙Ｐに対して露光処理と現像処理とを行うプリント出力部としてのプリントステーション１Ｂと、現像済み写真フィルムＭａやデジタルカメラ用メモリカードＭｂから取り込んだ撮影コマ画像（詳しくは撮影コマ画像のデジタル画像データ）を処理してプリントステーション１Ｂで使用されるプリントデータの生成・転送及びプリントステーション１Ｂに対する制御コマンドの生成・転送などを行う操作ステーション１Ａとから構成されている。
【００１４】
この写真プリント装置はデジタルミニラボとも称せられるものであり、図２からよく理解できるように、プリントステーション１Ｂは２つの印画紙マガジン１１に納めたロール状の印画紙Ｐを引き出してシートカッター１２でプリントサイズに切断すると共に、このように切断された印画紙Ｐに対し、バックプリント部１３でオーダ番号などの情報を印画紙Ｐの裏面に印字するとともに、デジタル露光部１４で印画紙Ｐの表面に撮影コマ画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまり写真プリントＦＰは、このソータ１７の複数のトレイ１７ａにオーダ（写真フィルム１本分又はメモリカード１枚分）単位で仕分けられた状態で集積される（図１参照）。なお、後で詳しく説明するが、このオーダの撮影コマ画像に施された色補正やトリミングなどの各種画像処理の画像処理パラメータのデータを二次元コード化、この実施形態ではＱＲコード化することによって得られたＱＲコードをプリントしたＱＲコードシート２も写真プリントＦＰと同様に適切にカットされた印画紙Ｐにデジタル露光部１４で露光された後処理槽ユニット１５で現像処理されることで横送りコンベア１６に出力され、トレイ１７ａに載置されるが、この写真プリント処理において１オーダ分の撮影コマ画像を一覧形式でプリントしたインデックスプリントが出力される場合にはこのインデックスプリントにＱＲコードをプリントしてＱＲコードシート２としても利用できるようにしている。そのようなインデックスプリントと兼用されたＱＲコードシート２は図３に示されている。
【００１５】
上述した印画紙Ｐに対する各種処理に合わせた搬送速度で印画紙Ｐを搬送するために印画紙搬送機構１８が敷設されている。印画紙搬送機構１８は、印画紙搬送方向に関して露光部１４の前後に配置されたチャッカー式印画紙搬送ユニット１８ａを含む複数の挟持搬送ローラ対から構成されている。
【００１６】
デジタル露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００１７】
前記操作ステーション１Ａのデスク状コンソールの上部位置には、写真フィルムＭａの撮影コマ画像から撮影コマ画像データを取得するフィルムスキャナ６ａや、デジタルカメラ等に装着されるメモリカードＭｂなどから撮影コマ画像データ（以下撮影コマ画像と略称）を取得するメディアリーダ６ｂなどで構成される画像入力部が配置されるが、この実施形態では、メディアリーダ６ｂは、取り込まれた撮影コマ画像データ（以下撮影コマ画像と略称）をＣＤ−ＲやＤＶＤ−Ｒなどの記録メディアに書き込むデータ出力用ドライブ７などとともに、この写真プリント装置のコントローラユニット４として機能する汎用パソコンに組み込まれている。この汎用パソコンには、さらに、ＱＲコードシート２にプリントされているＱＲコードを読み取るハンディスキャナ３、各種情報を表示するモニタ５、各種設定や調整を行う際に用いる操作入力部として利用されるキーボード８ａやマウス８ｂなども接続されている。
【００１８】
この写真プリント装置のコントローラユニット４では、ＣＰＵを中核部材として、写真プリント装置の種々の動作を行うための機能部がハードウエア又はソフトウエアあるいはその両方で構築されているが、図４に示されているように、本発明に特に関係する機能部としては、フィルムスキャナ６ａやメディアリーダ６ｂによって読み取られた撮影コマ画像と記憶するメモリ４０と、各種ウインドウや各種操作ボタンなどを含むグラフィック操作画面の作成やそのようなグラフィック操作画面を通じてのユーザ操作入力（キーボード８ａやマウス８ｂなどによる）から制御コマンドなどを生成・転送するグラフィックユーザインターフェース（以下ＧＵＩと略称する）を構築するＧＵＩ部４１と、ＱＲコードシート２にプリントされている画像処理パラメータのデータ（文字や数字や記号からなる）を含んでいるＱＲコードを読み取ったハンディスキャナ３から送られてきた読み取り信号を解読して画像処理パラメータデータに再生するコード解読部４２と、ＧＵＩ部４１から送られてきた制御コマンドやコード解読部から送られてきたデータに基づいて画像処理パラメータを生成・管理する画像処理パラメータ管理部４３と、この画像処理パラメータ管理部４３によって設定された画像処理パラメータに基づいてメモリ４０に展開されている撮影コマ画像に対する画像処理を行う画像処理部４４と、画像処理パラメータ管理部４３によって１オーダ分の撮影コマ画像に対して設定された画像パラメータをテキストファイル化した画像パラメータデータを作成するとともこの画像パラメータデータから画像処理パラメータを作成するテキストファイルコンバータ部４５と、このテキストファイル化部４５からの画像パラメータデータをＱＲコード化してＱＲコード（イメージ）を生成するコード生成部４６と、画像処理を施された最終的な撮影コマ画像のデータやインデックスプリント用イメージとＱＲコードイメージを合成したデータをプリントステーション１Ｂに装備されているデジタル露光部１４に適したプリントデータに変換するプリントデータ生成部４７と、ＧＵＩ部４１から送られてきたグラフィックユーザインターフェースを構築するグラフィックイメージや画像処理パラメータ設定時の撮影コマ画像などモニタ５に表示させるためのビデオ信号を生成するビデオ制御部４８と、入力された撮影コマ画像などをデータ記録部７をＣＤ−ＲやＤＶＤ−Ｒなどのデータ記録メディアに書き込むための形式にフォーマットするフォーマッタ部４９、などが挙げられる。
【００１９】
例えば、現像済み写真フィルムＭａがフィルムスキャナ６ａに投入されると、フィルムスキャナ６ａで取得された撮影コマ画像はメモリ４０に格納される。図５で示されているように、写真フィルムＭａに含まれていた全撮影コマ画像はモニタ５に表示されるプレジャッジ画面と称される、数コマ単位で順次表示された撮影コマ画像をもつ画像処理パラメータ設定画面５０を見ながら、画像処理対象となる撮影コマ画像を選択して、色補正やトリミングなどのために画像処理パラメータの設定が行われる。
【００２０】
この画像処理パラメータ設定画面５０においては、各撮影コマ画像表示欄５１の上側にはコマ番号表示欄５２が表示されているとともに、各撮影コマ画像の下側には色補正パラメータを設定するための色補正入力設定欄５３と、プリント枚数設定欄５４が示されている。色補正入力設定欄５３は、Ｙ（イエロー）、Ｍ（マゼンタ）、Ｃ（シアン）、Ｄ（濃度）の基準値からの正負の調整量が入力されるようになっている。またプリント枚数設定欄５４にはプリント枚数が入力されるが、「ｐａｓｓ」は０枚つまりプリントしないことを意味している。
【００２１】
さらに、画像処理パラメータ設定画面５０の下側領域にはオーダＩＤの表示とともに拡大画面ボタン、前ページボタン、完了ボタン、次ページボタンも配置されている。完了ボタンはこの画像処理パラメータ設定作業の完了する際に、前ページないしは次ページボタンは現在表示されている画像処理パラメータ設定画面５０の前ないしは次の画像処理パラメータ設定画面５０の表示を命じる際に操作される。拡大画面ボタンは、選択された撮影コマ画像だけをモニタ画面に表示して、精度を要求される画像処理パラメータを設定する拡大画像処理パラメータ画面を呼び出すものである。
【００２２】
図６に一例として示されている、この拡大された撮影コマ画像をもつ画像処理パラメータ設定画面６０では、トリミング等の画像処理パラメータが設定される。この画面６０では、ズームスイッチ６２によって設定されたズーム倍率で画像処理パラメータ設定画面５０で選択された撮影コマ画像が画像処理ウインドウ６１に表示される。
トリミング作業は、画像処理ウインドウ６１に表示された左右縦基線６３ａ、６３ｂと上下横基線６３ｃ、６３ｂによって構成されるトリミング枠６３をマウス等のポインティングデバイスによって操作することによって行われる。このトリミング枠６３は予め入力されたプリントサイズか又はデフォルトのプリントサイズのアスペクト比で表示され、このトリミング枠６３内の画像が実際に写真プリントＦＰとして出力されることとなる。
【００２３】
オペレータが左右縦基線６３ａ、６３ｂや上下横基線６３ｃ、６３ｂのいずれかの基線をマウスで動かすことで、トリミング枠を変更することができるが、その際プリントサイズの適合したアスペクト比が維持されるので、例えば、左縦基線６３ａを動かすだけで、上下横基線６３ｃ、６３ｄのいずれかの基線又は両方の基線も移動する。これにより、オペレータはプリントサイズをいちいち気にすることなく、トリミング枠６３を設定することができる。なお、トリミング枠６３の各基線を変更するのではなく、トリミング枠６３自体を移動させたい場合は、トリミング枠６３の内側をドラッグすることでトリミング枠６３の大きさを変更せずに位置だけ変更することができる。トリミング作業を容易にするため、画像処理ウインドウ６１の下側にはトリミング数値を表示するトリミングデータ表示欄６４が設けられている。このトリミングデータ表示欄６４には、トリミング枠６３の横サイズと縦サイズを示すことになるサイズＸとサイズＹ、トリミング枠６３の位置を示すことになる左上コーナのＸ−Ｙ座標値である開始Ｘと開始Ｙ、及び必要の場合回転トリミングアイコン６５によって設定されるトリミング枠６３の回転角、結果的には撮影コマ画像の回転を示すことになる回転角αが表示される。
【００２４】
画像処理パラメータ設定画面５０を通じて場合によっては拡大画像処理パラメータ設定画面６０を通じて設定された画像処理パラメータは、画像処理パラメータ設定画面５０の完了ボタンが操作されると、画像処理パラメータ管理部４３から画像処理部４４に画像処理コマンドとして送られ、画像処理部４４によってメモリ４０に展開されている撮影コマ画像に対する適切な画像処理が施される。そして、図７で模式的に示すように、画像処理パラメータ管理部４４に格納されていた１オーダ分の撮影コマ画像に対する画像処理パラメータはテキストファイルコンバータ部４５でテキストファイル化された後コード生成部４６でＱＲコード化されメモリ４０に展開される。なお、図７で示されている画像処理パラメータは理解しやすいように文章的に表現されているが、実際は画像処理部４４が用いている制御コードで表現されている。また、各段落の先頭に位置しているコマＮｏ．は撮影コマ画像の識別コードとして利用されるものであるが、実際はオーダＩＤとも組み合わせたより複雑なものが用いられ、入力メディアが写真フィルムＭａではなくメモリカードＭｂの場合はコマＮｏ．に代えて画像ファイル名が用いられるのが一般的である。
【００２５】
適切な画像処理が施された撮影コマ画像はプリントデータ生成部４７を経てプリントステーション１Ｂに送られ、写真プリントＦＰとして出力される。その後、メモリ４０に展開されていたＱＲコードも、撮影コマ画像を縮小するとともにコマＮｏ．順に一覧化配置したインデックスプリントデータと合成され、プリントデータ生成部４７を経てＱＲコード付きインデックスプリント２として出力される。
【００２６】
出力された写真プリントＦＰをチェックして、トリミングや色補正の状態が満足するものではないと判断した場合、焼き直し作業を行う必要がある。まず、ＱＲコード付きインデックスプリント２にプリントされているＱＲコードをハンディスキャナ３で読み取ると、コード解読部４２によって再生された画像処理パラメータデータはテキストファイルコンバータ部４５で画像処理パラメータに変換され、画像パラメータ管理部４３に送られると、画像パラメータ管理部４３とＧＵＩ部４１の働きでこの画像処理パラメータ通りに設定された画像処理設定画面５０がモニタ５に表示されるので、直ちに画像補正の修正作業、つまり焼き直し作業に入ることができる。
【００２７】
なお、本発明における画像処理パラメータと二次元コードを共通化、ないしは規格化することで、この二次元コードをプリントしたシートと撮影コマ画像ソースを写真ショップへ持って行きさえすれば、どこでもいつでも同じ画像処理を施した写真プリント又は基準となる写真プリントから所望通りに調整された写真プリントを得ることができることは重要である。
【００２８】
上述した実施の形態では、１オーダ分の撮影コマ画像に設定された画像処理パラメータ群を１つのＱＲコードに入れて、このＱＲコードをインデックスプリントに合成して出力していたが、ＱＲコードのみをＱＲコードシート２として出力してもよい。また、各撮影コマ画像に設定された画像処理パラメータをそれぞれ１つのＱＲコードに入れて、これらを一覧化したＱＲコードシート２として出力してもよい。さらに、個別のＱＲコードを生成する場合において、バックプリント部１３の印字性能が十分であれば、この個別ＱＲコードを各撮影コマ画像のための印画紙Ｐの裏面に印字することも可能である。
【００２９】
上述した実施の形態では、ＱＲコードシート２にプリントされたＱＲコードを読み取って画像処理パラメータを表しているテキストデータ（画像処理パラメータデータ）を生成するために、ハンディスキャナ３とこのハンディスキャナ３が読み取った読み取り画像データを解読して画像処理パラメータデータを再生するコード解読部４２が用いられたが、この構成に代えて、ハンディスキャナ機能とコード解読機能を統合したコードリーダを用いてこのコードリーダからの出力信号を直接画像処理パラメータ管理部４３に直接入力する構成を採用してもよい。
【００３０】
さらに上述した実施の形態では、プリントステーション１Ｂは、印画紙Ｐに対し、レーザ式露光エンジンを備えたデジタル露光部１４で撮影コマ画像の露光を行い、この露光後の印画紙Ｐを複数の現像処理する、いわゆる銀塩写真プリント方式を採用していたが、もちろん、本発明におけるプリントステーション１Ｂは、このような方式に限定されるわけではなく、例えば、フィルムや紙にインクを吐出して画像を形成するインクジェットプリント方式や感熱転写シートを用いた熱転写方式など、種々の写真プリント方式を採用することができる。
【産業上の利用可能性】
【００３１】
本発明は、ＱＲコードやその他の二次元コードを利用して画像処理パラメータを格納しておくで写真プリントの焼き直し作業を簡便化する写真プリント装置の分野に広く利用することができる。
【図面の簡単な説明】
【００３２】
【図１】本発明による写真プリント装置を示す外観図
【図２】写真プリント装置を構成するプリントステーションの説明図
【図３】インデックスプリントと組み合わされたＱＲコードシートを示す平面図
【図４】操作ステーションに搭載されたコントローラの機能を示す機能ブロック図
【図５】画像処理チャンネル設定画面の一例を示すモニタ画面図
【図６】拡大画像処理チャンネル設定画面の一例を示すモニタ画面図
【図７】画像処理パラメータがテキストファイル化を経てＱＲコードとなる流れを示す模式図
【符号の説明】
【００３３】
１Ａ：操作ステーション
１Ｂ：プリントステーション（プリント出力部）
２：ＱＲコードシート（インデックスプリント）
３：ハンディスキャナ
４：コントローラ
６ａ：フィルムスキャナ（画像入力部）
６ｂ：メディアリーダ（画像入力部）
８ａ：キーボード（操作入力部）
８ｂ：マウス（操作入力部）
４１：ＧＵＩ部
４２：コード解読部
４３：画像処理パラメータ管理部
４４：画像処理部
４５：テキストファイルコンバータ部
４６：コード生成部
【図１】
2005234323.tif 000003
【図２】
2005234323.tif 000004
【図３】
2005234323.tif 000005
【図４】
2005234323.tif 000006
【図５】
2005234323.tif 000007
【図６】
2005234323.tif 000008
【図７】
2005234323.tif 000009